【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
付勢力を蓄える部材を備えリードが繰り出されるときに正回転して前記付勢力を蓄え前記付勢力により逆回転してリードを巻き取るリールと、
前記リールと一体化されて前記リールの回転中心を中心とする円の周上に等間隔に径方向外方に凸となるように複数配され前記リールとともに回転し停止する爪と、
前記リールの回転中心と平行であって前記爪よりも前記円の径方向外方に回動可能に支持されたピン軸および前記ピン軸に直交する方向に伸びた係合部を有するロックピンと、
前記ロックピンを付勢力により回動させる付勢部材と、
前記リールおよび前記爪、前記ロックピンならびに前記付勢部材を内部に収納する本体と、を有し、
前記爪は、いずれも前記径方向外方に伸びて正回転方向に向く係合面および逆回転方向に向く押圧面を有し、
前記係合部は、伸びた先端に係止面および前記ピン軸と前記係止面との間の側面に当接部を有し、
前記ロックピンが、前記付勢部材の付勢力により前記係合部の先端側を隣り合う前記爪の間に位置させるように回動したときに、前記係止面が前記係合面を係止して前記リールの正回転を阻止し前記当接部が前記押圧面を押圧して前記リールの逆回転を阻止するように構成されてなる
ことを特徴とするペット用のリード収納装置。
【請求項２】
前記本体における内面の前記係合部に対向する位置に前記本体の外側から往復移動操作可能なロック解除部材が設けられており、
前記ロック解除部材が往動端から復動端に向けて移動するときに前記係合部と係合して前記係合部の先端側を隣り合う前記爪の間から前記爪の外方に回動させて前記リールの正回転および逆回転が可能となるように構成された
請求項１に記載のペット用のリード収納装置。
【請求項３】
前記ロック解除部材は、
前記往動端と前記復動端との間を直線的に移動するように形成された
請求項２に記載のペット用のリード収納装置。
【請求項４】
前記付勢部材は、
一方の腕が前記係合部の先端側に保持され他方の腕が前記本体に保持されそのコイル部分が前記ピン軸の外周にはめ込まれたコイルバネである
請求項１ないし請求項３のいずれか１項に記載のペット用のリード収納装置。
【請求項５】
大きな曲率半径を有して湾曲する第１の部分と、
前記第１の部分に連続しこれよりも小さな曲率半径で湾曲しかつその曲率中心が前記第１の部分の曲率中心の反対側にある第２の部分と、
前記第１の部分側の端部である第１の端と、
前記第２の部分側の端部である第２の端と、からなる板バネを有し、
前記ロック解除部材は、
前記ロックピンの係合部と係合するピン押さえ部と、
前記ピン押さえ部の前記復動端側に位置し前記ピン押さえ部側の端から前記往動端側の端まで延びた当接面を有するバネ押さえ部と、を有し、
前記板バネは、
前記本体内に、前記第１の部分がその曲率半径を大きくしようとする付勢力を蓄えた状態で前記第２の部分の凸側を前記当接面に当接させて前記第１の端および前記第２の端が移動しない状態で保持されている
請求項２または請求項３に記載のペット用のリード収納装置。
【請求項６】
前記板バネは、
前記ロック解除部材が前記復動端に位置するときに、前記第２の部分が前記当接面から外れて前記ロック解除部材の前記往動側端面に当接するように配置されている
請求項５に記載のペット用のリード収納装置。
【請求項７】
前記当接面は、
前記ロック解除部材が前記往動端から前記復動端に移動するにしたがって前記第２の端との距離が短くなるように傾斜している
請求項５または請求項６に記載のペット用のリード収納装置。
【手続補正２】
【補正対象書類名】明細書
【補正対象項目名】全文
【補正方法】変更
【補正の内容】
【発明の詳細な説明】
【発明の名称】ペット用のリード収納装置
【技術分野】
【０００１】
本発明は、例えば犬の散歩の際に使用され犬との距離に応じてリードの引き出しおよび収納が行われるペット用のリード収納装置に関する。
【背景技術】
【０００２】
家庭で飼われる犬は、通常は１日に１回または２回の散歩のために敷地外に連れ出される。この散歩には、散歩用のリード（引き紐）が使用される。散歩用のリードとして、未使用時にはケースの中にリードが収納され、散歩時には活動する犬との距離に応じて繰り返しリードがケースから引き出され、繰り返しケースの中に収納されるリード収納装置も用意されている。
【０００３】
また、散歩時においては、犬の自由な活動を規制する必要があるため、この種のリード収納装置には、リードがケースから自由に引き出されるのを防止するためのロック機構が設けられたものも開発されている（特許文献１、特許文献２）。
【特許文献１】特開平４−３６０６３４号公報
【特許文献２】特開２００３−３１９７２９号公報
【発明の開示】
【発明が解決しようとする課題】
【０００４】
しかし、特許文献１および特許文献２に記載されたリード収納装置は、いずれもリードが巻かれたリールに設けられたラチェット歯（特許文献１）または係合爪（特許文献２）に係合してリールをロックするストッパ（特許文献１）またはロック爪（特許文献２）の移動はリールの回転中心に向けて行われる。このようなストッパまたはロック爪は、一定以上の長さおよび一定以上の移動距離を要する。
【０００５】
そのため、ロック機構が大型化しリード収納装置も大型化するという問題があり、デザインの選択が制約されるという問題がある。
本発明は、上述の問題に鑑みてなされたもので、リードの繰り出しおよび巻き取りをロックすることができかつ小型化可能でデザインへの制約が少ないリード収納装置を提供することを目的とする。
【課題を解決するための手段】
【０００６】
前記目的を達成するため、本発明においては以下の技術的手段を講じた。
すなわち、本発明に係るペット用のリード収納装置は、付勢力を蓄える部材を備えリードが繰り出されるときに正回転して前記付勢力を蓄え前記付勢力により逆回転してリードを巻き取るリールと、前記リールと一体化されて前記リールの回転中心を中心とする円の周上に等間隔に径方向外方に凸となるように複数配され前記リールとともに回転し停止する爪と、前記リールの回転中心と平行であって前記爪よりも前記円の径方向外方に回動可能に支持されたピン軸および前記ピン軸に直交する方向に伸びた係合部を有するロックピンと、前記ロックピンを付勢力により回動させる付勢部材と、前記リールおよび前記爪、前記ロックピンならびに前記付勢部材を内部に収納する本体と、を有し、前記爪は、いずれも前記径方向外方に伸びて正回転方向に向く係合面および逆回転方向に向く押圧面を有し、前記係合部は、伸びた先端に係止面および前記ピン軸と前記係止面との間の側面に当接部を有し、前記ロックピンが、前記付勢部材の付勢力により前記係合部の先端側を隣り合う前記爪の間に位置させるように回動したときに、前記係止面が前記係合面を係止して前記リールの正回転を阻止し前記当接部が前記押圧面を押圧して前記リールの逆回転を阻止するように構成されてなる。
【０００７】
好ましくは、前記本体における内面の前記係合部に対向する位置に前記本体の外側から往復移動操作可能なロック解除部材が設けられており、前記ロック解除部材が往動端から復動端に向けて移動するときに前記係合部と係合して前記係合部の先端側を隣り合う前記爪の間から前記爪の外方に回動させて前記リールの正回転および逆回転が可能となるように構成される。
【０００８】
前記ロック解除部材は、前記往動端と前記復動端との間を直線的に移動するように形成される。
好ましくは、前記付勢部材は、一方の腕が前記係合部の先端側に保持され他方の腕が前記本体に保持されそのコイル部分が前記ピン軸の外周にはめ込まれたコイルバネである。
前記リード収納装置は、大きな曲率半径を有して湾曲する第１の部分と、前記第１の部分に連続しこれよりも小さな曲率半径で湾曲しかつその曲率中心が前記第１の部分の曲率中心の反対側にある第２の部分と、前記第１の部分側の端部である第１の端と、前記第２の部分側の端部である第２の端と、からなる板バネを有し、前記ロック解除部材は、前記ロックピンの係合部と係合するピン押さえ部と、前記ピン押さえ部の前記復動端側に位置し前記リールの回転軸に平行であって前記ピン押さえ部側端から前記往動端側の端まで延びた当接面を有するバネ押さえ部と、を有し、前記板バネは、前記本体内に、前記第１の部分がその曲率半径を大きくしようとする付勢力を蓄えた状態で前記第２の部分の凸側を前記当接面に当接させて前記第１の端および前記第２の端が移動しない状態で保持されている。
【０００９】
前記板バネは、前記ロック解除部材が前記復動端に位置するときに、前記第２の部分が前記当接面から外れて前記ロック解除部材の前記往動側端面に当接するように配置されている。
また、前記当接面は、前記ロック解除部材が前記往動端から前記復動端に移動するにしたがって前記第２の端との距離が短くなるように傾斜している。
【発明の効果】
【００１０】
本発明によると、リードの繰り出しおよび巻き取りをロックすることができかつ小型化可能でデザインへの制約が少ないリード収納装置を提供することができる。
【発明を実施するための最良の形態】
【００１１】
図１は本発明に係るリード収納装置１の正面図、図２はリード収納装置１の平面図、図３はリード収納装置１の本体２の左側面図、図４は第１本体カバー３の裏面図、図５はスライドスイッチ４の平面図、図６は板バネ５の斜視図、図７は第１本体カバー３を取り外した本体２の正面図、図８はリール停止装置１１の概略図、および図９は本体２の組立概要図である。なお、図９において（ｃ）はロックピン５６の側面図、および（ｄ）はロックピン５６の正面図である。
【００１２】
リード収納装置１は、本体２、リード６およびナスカン７からなる。
本体２は、第１本体カバー３、第２本体カバー８、リール９、ゼンマイバネ１０、リール停止装置１１およびキャップ１２からなる。
第１本体カバー３は、第２本体カバー８とともに本体２の略円柱状の外観を形成する。また、第１本体カバー３は、第２本体カバー８と組み合わされて、内部にリール９、ゼンマイバネ１０、リール停止装置１１および巻き取られたリード６を収納する。
【００１３】
図４を参照して、第１本体カバー３は、略円板状の第１壁部１３および第１壁部１３の端縁から第１壁部１３に対して垂直に連続する略円筒状の第１側壁部１４、スライドスイッチ４および板バネ５で形成される。
第１壁部１３には、内面の内方に、第１壁部１３と同心円であって第１壁部１３よりも高さが低い略円筒状のリール隔離部１５が設けられている。リール隔離部１５は、その円筒状の一部が欠落しており、両欠落端の間における第１壁部１３には、リール隔離部１５の法線方向に延びたスイッチ案内孔１６が貫通している。スイッチ案内孔１６の周囲は、リール隔離部１５の欠落部分に略等しい幅でスイッチ案内溝１７が設けられている。スイッチ案内溝１７の長手方向両端は、後に説明するスライドスイッチ４におけるロック部１８の長手方向端面の湾曲に合わせた、外方に凸となる曲面となっている。
【００１４】
また、第１壁部１３は、スイッチ案内溝１７の第１側壁部１４に近い側の端面１９の最先端部における接線が第１壁部１３の端縁と交わる部分に、断面が円形のピン支持孔２０を有する。
第１側壁部１４は、スイッチ案内孔１６の長手方向延長線上に、異なる曲率半径を有し断面形状が半円形であって隣あうそれぞれが段を有して連なる凹状の第１キャップ収容溝２１を有する。第１側壁部１４には、第１キャップ収容溝２１の反対側に、ストラップを取り付けるための第１ストラップ用溝２２が設けられている。
【００１５】
スライドスイッチ４は、スイッチ案内孔１６に取り付けられており、図５に示されるように、操作部２３とロック部１８とからなる。操作部２３は、主体が長円形の操作面２４を有する板状体であって、操作面２４の反対側の面２５からは、長手方向に伸び断面形状が長円の連結部２６が突出する。連結部２６の厚さ（長円形断面の半円の直径）は、スイッチ案内孔１６の幅に略等しく、連結部２６は、スイッチ案内孔１６内を支障なく移動可能である。
【００１６】
ロック部１８は、バネ押さえ部２７とピン押さえ部２８とからなり、図４における正面視では、全体として、スイッチ案内溝１７の長手方向に伸びて、伸びた端面が曲面となった形状を有する。
バネ押さえ部２７は、長手方向の一方の端から他方の端に向けて全体の略４分の３の範囲を占め、バネ押さえ部２７の一方の側面２９（図４における上側の側面。以下「当接面２９」という。）は、内側に向かうにつれて他方の側面との距離が短くなるように内方に傾斜している。バネ押さえ部２７には、連結部２６の断面形状に略等しい断面形状の連結孔３０が、その長手方向をロック部１８の長手方向に一致させて設けられている。
【００１７】
ピン押さえ部２８は、スイッチ案内溝１７に略等しい幅を有し、一方の表面がバネ押さえ部２７の表面と同一面にあって、他方の表面（外面）３１がバネ押さえ部２７の他方の表面と段を形成している。つまり、ピン押さえ部２８は、バネ押さえ部２７よりも大きな厚さを有する。
スライドスイッチ４のスイッチ案内孔１６への取り付けは、次のようにして行われる。最初に、操作部２３の連結部２６が、第１壁部１３の外面側からスイッチ案内孔１６にはめ込まれる。続いて、第１壁部１３の内面側において、スイッチ案内孔１６を突き抜けた連結部２６が、ロック部１８の連結孔３０にはめ込まれる。このとき、ロック部１８は、段を有しない面側から連結部２６がはめ込まれる。連結部２６は、スイッチ案内溝１７の厚さとバネ押さえ部２７の厚さとを加えた長さを有する。連結部２６は、連結孔３０において接着剤により固定される。
【００１８】
スライドスイッチ４は、スイッチ案内孔１６に取り付けられたときに、ロック部１８におけるピン押さえ部２８の外面３１がリール隔離部１５における環状の端面７４よりも低くなるように構成されている。
スイッチ案内孔１６に取り付けられたスライドスイッチ４は、連結部２６がスイッチ案内孔１６に案内され、ロック部１８の段を有しない面側がスイッチ案内溝１７に案内されて、円滑にリール隔離部１５の法線方向に移動する。
【００１９】
板バネ５は、大きな曲率半径を有して湾曲する第１部分３２、第１部分３２に連続しこれよりも小さな曲率半径で湾曲しかつその曲率中心が第１部分３２の曲率中心の反対側にある第２部分３３、第１部分３２側の端である第１端３４および第２部分３３側の端である第２端３５からなる。板バネ５は、第１部分３２の曲率中心がリール隔離部１５の内側なるようにしてリール隔離部１５の内側に配される。板バネ５は、第１部分３２の曲率半径が変化可能な状態で、第１端３４がリール隔離部１５に固定され、第２端３５が欠落部分における一方の欠落端に固定されている。なお、ここでいう「固定」とは、例えば第１端３４がリール隔離部１５に設けられた孔に、第２端３５が欠落端に設けられた孔にはめ込まれ、第１部分３２に蓄えられた付勢力によって抜け出ないように保持された状態も含む。
【００２０】
板バネ５は、スライドスイッチ４がスイッチ案内孔１６に取り付けられる前にリール隔離部１５に取り付けられる。そして、スライドスイッチ４がスイッチ案内孔１６に取り付けられると、第２部分３３の凸側の面は、ロック部１８の当接面２９側に押圧状態で当接する。
また、板バネ５は、スライドスイッチ４がスイッチ案内孔１６に案内されて第１キャップ収容溝２１側に移動するにしたがって、第２端３５と当接面２９との距離が短くなるように配されている。
【００２１】
第２本体カバー８は、第１本体カバー３と接合されて本体２の外観を形成し、接合面について第１本体カバー３と面対称となる形状を有する。したがって、第２本体カバー８は、略円板状の第２壁部３６、および第２壁部３６の端縁から第２壁部３６に対して垂直に連続する略円筒状の第２側壁部３７により形成される。第２側壁部３７には、第１側壁部１４の第１キャップ収容溝２１に対応する位置に第２キャップ収容溝３８、および第１側壁部１４における第１ストラップ用溝２２に対応する位置に第１ストラップ用溝２２と面対称となる形状の第２ストラップ用溝３９が設けられている。
【００２２】
第２壁部３６には、第１壁部１３におけるピン支持孔２０に対応する位置に、後に説明するロックピン５６における断面円形の径大部５８を回動可能に支持するピン支持部４０（図９参照）が設けられている。
ピン支持部４０は、第２側壁部３７の内周面の直近に垂直に伸びる、その断面が円の４分の１を切り取ったような形状のピン支持溝４１を形成している。ピン支持部４０における第２キャップ収容溝３８側は、第２側壁部３７と同じ高さのピン支持部４０における他の部分よりも高くなっている。この、ピン支持部４０における第２側壁部３７よりも高い部分を誘導部４２というものとする（図８および図９（ａ）参照）。
【００２３】
第２側壁部３７における第２キャップ収容溝３８とピン支持部４０との間には、後に説明するねじりコイルバネ５７の端部が挿入される孔７２が設けられている。
第２壁部３６は、その内側の中心に、垂直に伸び外周断面が略円形のリール軸４３を有する。リール軸４３には、その軸心を含む係止溝４４により２分されている。また、第２壁部３６は、第１壁部１３におけるリール隔離部１５に対応する位置（接合面に対して面対称となる位置）に、リール隔離部１５よりも高さの低い、リール軸４３と同心円の環状のリール隔離部が設けられている。
【００２４】
図９（ｂ）を参照して、リール９は、円筒状の胴部４５、胴部４５の一端を閉じる下底部４６、および胴部４５の他端を閉じる上底部４７からなる。
胴部４５は、リード６を巻き取るためのものである。
下底部４６は、略円形の板状であって、中心にはリール軸４３が貫通可能な孔４８が設けられている。
【００２５】
図７をも参照して、上底部４７は、基板４９と爪部５０とからなる。
基板４９は、下底部４６と略同じ径を有する円形板状であり、中心にはリール軸４３が貫通可能な孔５１が設けられている。
爪部５０は、基板４９の外側の面７１上に肉厚部分として形成され、基板４９と同心円である環状の支持面５２、および同一形状の８つの爪５３を有する。
【００２６】
支持面５２は、その外側端縁の径がリール隔離部１５の外径と同じまたはそれより大きく、その内側端縁の径がリール隔離部１５の外径よりも小さい。
爪５３は、支持面５２よりも肉厚となっており、支持面５２の外側端縁の外方に、周方向に等間隔に配されている。爪５３は、正面視（図７および図８）において、鈍角と１つの頂角とを支持面５２の外側端縁の近傍に配した鈍角三角形を基礎とする形状を有する。爪５３は、鈍角三角形おける鈍角を形成しない辺に相当する面が外方に凸状の曲線で形成され、かつこの面の外方端において他の１辺に相当する面との間に形成される頂角を湾曲線（湾曲面）に置き換えたような形状である。以下、爪５３における、鈍角から外方に伸び正面視がこの湾曲線の面に至る面を係合面５４といい、この係合面５４と外方において連続する「鈍角三角形おける鈍角を形成しない辺」に相当する面を湾曲側面５５という。係合面５４は平面であるが、外方に向けて凸状の曲面または内方に向けて凹状の曲面とすることができる。
【００２７】
爪５３は、その外方の最先端が基板４９の端縁よりも内方に、基板４９の端縁と適度な距離を有して配されている。
ゼンマイバネ１０は、幅に比べて極めて長い弾性を有する金属板が渦巻き状に巻かれて形成されたバネである。ゼンマイバネ１０の内側端部は、内側に鋭角に折り曲げられている。
【００２８】
図７ないし図９において、リール停止装置１１は、ロックピン５６およびねじりコイルバネ５７からなる。
ロックピン５６は、円柱状の径大部５８、径大部５８の一端に段を有して連続し径大部５８よりも径小で長さの短い径小部５９、および径大部５８の径小部５９側端から直角に伸びる係合部６０からなる。径大部５８は、第２本体カバー８におけるピン支持溝４１の内面の曲率半径よりも僅かに小さい半径を有し、ピン支持溝４１内で回動可能である。径小部５９は、ピン支持孔２０の径よりも僅かに小さい径を有し、ピン支持孔２０内で回動可能である。
【００２９】
係合部６０は、爪５３の厚さと同等またはやや小さな厚さを有する基部６１、および先端側において長手方向に一定の長さを有し基部６１の略２倍であって爪５３の厚さよりも大きな厚さを有する係止部６２からなる。係合部６０の先端面７３（係止部６２の先端側面でもある）は、湾曲する曲面となっている。係止部６２（である肉厚部分）は、基部６１に対して径小部５９側に偏っており（図９（ｃ）参照）、基部６１の径大部５８側の面６３は係合部６０全体に渡り平坦である。基部６１の先端側には、ねじりコイルバネ５７の一方の腕部分６４を挿入させて保持する孔６５が貫通している。係合部６０において長手方向に伸びリール９側に向く側面は、凹状に湾曲した曲面（「係合部湾曲面６６」という）となっており、その湾曲の度合いは、爪５３における湾曲側面５５よりも小さい。
【００３０】
ねじりコイルバネ５７は、コイル部分の両端に連続するそれぞれの腕部分６４，６７が付勢方向に対して直角に曲げられている。
キャップ１２は、第１本体カバー３と第２本体カバー８とが接合されたときに第１キャップ収容溝２１と第２キャップ収容溝３８とが形成する貫通孔に保持される。したがって、キャップ１２は、貫通孔の内面形状と略等しい外形を有する。キャップ１２には、軸心を貫通する孔６８が設けられている。
【００３１】
第１本体カバー３および第２本体カバー８はポリプロピレン樹脂、スライドスイッチ４およびリール９はポリアミド樹脂で製作される。
リード６は、ナイロン繊維で編まれた丸紐である。
ナスカン７は、リード６を、例えば犬の首輪に取り付けられたＤカンに連結するためのものである。ナスカン７は、熱可塑性エラストマー（合成ゴム）で製作された接続具６９によりリード６に連結されている。ナスカン７は、ダイキャスト製品であり、一般に広く使用されるものである。
【００３２】
次に、リード収納装置１の組立方法を説明する。
ゼンマイバネ１０を胴部４５内に収納させてリール９が組み立てられる。ゼンマイバネ１０の外側の端は、胴部４５の内面に直接にまたは間接に固定される。また、ゼンマイバネ１０は、爪５３との関係において爪５３が傾く方向とは逆側に巻き径が小さくなるように、つまり、爪５３が傾く方向とは逆の方向（図７における矢印Ｒ方向）にゼンマイバネ１０の付勢力が働くように、胴部４５内に収納される。
【００３３】
次に、リード６の一端がリール９の基板４９に固定されて、胴部４５の外周に巻かれる。リード６の他端は、キャップ１２の孔６８に通された後に、接続具６９を介してナスカン７に接続される。
ナスカン７がキャップ１２に接触する程度にまでリード６が巻かれたリール９の下底部４６側の孔４８に、第２本体カバー８のリール軸４３を挿通させる。続いて、上底部４７の孔５１からゼンマイバネ１０の内側の鋭角に曲げられた端が操作されて、この鋭角に曲げられた端がリール軸４３に設けられた係止溝４４にはめ込まれる。この後、上底部４７の孔５１にリール軸４３が通されて、リール９は第２本体カバー８に回動可能に取り付けられる。第２本体カバー８のピン支持部４０における誘導部４２は、その先端面７０がリール９が第１本体カバー３に取り付けられた後の基板４９の外側の面７１が属する面内に存在するように、その高さが決定されている。
【００３４】
次に、ロックピン５６の径大部５８がピン支持溝４１内にはめ込まれる。ロックピン５６は、係合部６０における径大部５８側の平坦な面６３が、同一平面内にあるリール９の基板４９の外側の面７１および誘導部４２の先端面７０に当接する。ねじりコイルバネ５７は、そのコイル部分が径小部５９にはめ込まれ、その一方の腕部分６４が係合部６０の孔６５に、他方の腕部分６７が第２側壁部３７に設けられた孔７２に差し込まれて、ロックピン５６を係合部６０が爪部５０側に回動するように付勢する。
【００３５】
次に、第１本体カバー３が第２本体カバー８に接合される。このとき、第１本体カバー３におけるスライドスイッチ４は、第１キャップ収容溝２１側の移動端とは逆側の移動端（ロック位置）に移動させておく。そうすると、接合時にロック部１８のピン押さえ部２８がロックピン５６の係止部６２よりも内側に位置することになり、第１本体カバー３と第２本体カバー８とを容易に接合することができる。
【００３６】
最後に、ネジにより第１本体カバー３と第２本体カバー８とが一体化されて、リード収納装置１が完成する。
本体２内では、リール９の支持面５２はリール隔離部１５に当接し、リール９がリール軸４３を軸方向に不規則に移動するのを防止する。リール９の下底部４６も、第２本体カバー８の第２壁部３６に設けられたリール隔離部に当接し、リール９の不規則な移動を防止する効果を高めている。
【００３７】
以下に、リード収納装置１の動作について説明する。
スライドスイッチ４がキャップ１２側の移動端（図１におけるロック解除位置）に位置するとき、スライドスイッチ４のピン押さえ部２８は、ロックピン５６の係止部６２におけるリール軸４３側の側面７５を押圧し、ねじりコイルバネ５７の付勢力に逆らって、ロックピン５６をキャップ１２側の回動端に保持する（図８における２点鎖線のロックピン５６参照）。
【００３８】
この状態では、上底部４７の爪５３がロックピン５６の係合部６０に係止されることがないので、リール９は、リール停止装置１１に妨げられることなく、リード６の繰り出しおよび巻き取り（図７の矢印Ｒ方向への回転）を行うことができる。リード収納装置１では、ペットが遠くへ駆け出してリード６が繰り出されるときは、ゼンマイバネ１０が巻きあげられて付勢力が蓄えられ、ペットとの距離が縮まったときは、ゼンマイバネ１０の付勢力よりリード６が巻き取られる。
【００３９】
また、このとき、スライドスイッチ４は、ロック部１８のリール軸４３側の端面７６が、板バネ５の第１部分３２の曲率半径を大きくしようとする付勢力を受けた第２部分３３によってキャップ１２側に押圧される（図４における２点鎖線の板バネ５参照）。したがって、スライドスイッチ４は、ロック解除位置にロックされてロック位置に移動することがなく、散歩時の振動等によって突然にリール９がロックされ、リード６の繰り出しおよび巻き取りが停止されるおそれがない。
【００４０】
スライドスイッチ４が、リール軸４３側の移動端（図１におけるロック位置）に移動されると、係止部６２による回動の制約がなくなったロックピン５６は、ねじりコイルバネ５７の付勢力によりリール軸４３側（図７の矢印Ｓ方向）に回動し、係合部６０がいずれかの爪５３と爪５３との間にはまり込む（図７における実線のロックピン５６参照）。このロックピン５６の回動は、誘導部４２の先端面７０と基板４９の外側の面７１とが同一の面内にあるため、極めて円滑に行われる。
【００４１】
係合部６０がいずれかの爪５３と爪５３との間にはまり込んだ後は、リード６の繰り出しは、爪５３の係合面５４が係合部６０の先端面７３に係止されて阻止される。また、リード６の巻き取りは、係合部湾曲面６６がねじりコイルバネ５７の付勢力を受けて爪５３の湾曲側面５５を押圧し、この押圧力によってゼンマイバネ１０によるリール９の回転が停止されることにより阻止される。
【００４２】
ロック位置へのスライドスイッチ４の移動が開始されると、ロック部１８のリール軸４３側の端面７６を押圧していた板バネ５の第２部分３３は、スライドスイッチ４の移動に伴ってバネ押さえ部２７の内方に傾斜する当接面２９に対して相対移動する。スライドスイッチ４がリール軸４３側の移動端（ロック位置）に達したとき、第２部分３５が押圧されることにより板バネ５の第１部分３２の曲率半径は減少し、板バネ５に付勢力が蓄えられて第２部分３３が強く当接面２９を押圧する（（図４における実線の板バネ５参照））。この板バネ５の付勢力により、スライドスイッチ４はロック位置からロック解除位置への移動が制限され、ペットがリード６を引っ張ってもリード６が繰り出されることがなく、リード６にたるみが生じてもリード６が意に反して巻き取られることがない。
【００４３】
ここで、スライドスイッチ４がロック位置にあるときに、リール停止装置１１によりリール９の巻き取りが制限される仕組みについて説明する。
図８を参照して、スライドスイッチ４がロック位置にあるとき、ロックピン５６は、ねじりコイルバネ５７による付勢力により爪５３側に回動する。そして、係合部６０は、爪５３と爪５３との間にはまり込む。係合部６０は、この状態で、爪５３における湾曲側面５５の曲がりよりも小さい係合部湾曲面６６が、ロックピン５６の回動中心Ｏに近い部分Ｐで湾曲側面５５に当接するように形成されている。
【００４４】
さて、リード６を巻き取る方向にリール９を回転させようとするゼンマイバネ１０による力Ｆ１が、ロックピン５６をキャップ１２側に回動させようとする回転モーメントは、Ｆ１×Ｌ１である。一方、ねじりコイルバネ５７による付勢力Ｆ２が、ロックピン５６を爪５３の湾曲側面５５側に回動させようとする回転モーメントは、Ｆ２×Ｌ２である。Ｌ１はロックピン５６の回動中心Ｏから係合部湾曲面６６が湾曲側面５５に当接する点Ｐまでの距離であり、Ｌ２はロックピン５６の回動中心Ｏから係合部６０の孔６５迄の距離である。
【００４５】
リール停止装置１１は、Ｆ１が最大となるリード６が全て繰り出されたときにもＦ２×Ｌ２＞Ｆ１×Ｌ１となるように、Ｌ１，Ｌ２の値およびねじりコイルバネ５７が決定される。ねじりコイルバネ５７の付勢力に逆らうスライドスイッチ４のロック解除位置への移動を無理なく（特に強い力を要することなく）行うには、つまり、ロック解除を力を要さずに行える適度な大きさの付勢力を有するねじりコイルバネを使用するには、Ｌ１の値をＬ２の値の２５〜５０％とするのが好ましい。Ｌ２の値に対するＬ１の値の割合はリード６の長さにも関係し、長いリード６が使用される場合には、Ｌ２の値に対するＬ１の値の割合はより小さく設定される。
【００４６】
スライドスイッチ４のロック部１８におけるピン押さえ部２８の外面３１は、リール隔離部１５の端面７４よりも低くなるように形成され、ロックピン５６の係止部６２は、その厚さが爪５３の厚さよりも大きくなるように形成される。スライドスイッチ４およびロックピン５６がこのように構成されていることにより、これらが組み込まれた本体２は、スライドスイッチ４の移動がリール９に妨げられず、かつスライドスイッチ４が確実にロックピン５６をロック位置からロック解除位置にまで移動させることができる。
【００４７】
なお、係合部湾曲面６６における湾曲側面５５に当接する部分を点Ｐとしたが、当接する部分Ｐを点ではなく一定の面積を有する面となるように係合部湾曲面６６および湾曲側面５５を構成してもよい。
また、リール停止装置１１の設計において、係合部６０が湾曲側面５５に当接する点Ｐの設定の精度を高めたい場合等には、図１０に示されるロックピン５６Ｂのように、係合部６０Ｂにおける爪側５３の側面６６Ｂに、２〜５ｍｍ突出するピン状の突起物７７Ｂを設けるのが好ましい。そして、このようなロックピン５６Ｂが使用されるリール停止装置では、リード６の巻き取りを阻止する際にピン状の突起物７７Ｂに押圧される爪の側面（爪５３における湾曲側面５５に対応する側面）を湾曲面でなく平面とすることができる。
【００４８】
板バネ５は、図１１に示される第１本体カバー３Ｃのように、第１端３４を第１側壁部１４に固定し、第２端３５をリール隔壁部１５に固定して、第２部分３３の凸側の面がスライドスイッチ４の当接面２９に当接するように配することができる。第１本体カバー３Ｃにおいても第１本体カバー３と同様に、板バネ５は、スライドスイッチ４がスイッチ案内孔１６に案内されて第１キャップ収容溝２１側に移動するにしたがって、第２端３５と当接面２９との距離が短くなるように配されている。
【００４９】
図１２は他の実施形態に係るリール停止装置１１Ｃの概略図である。
リール停止装置１１Ｃは、その形状に対応した爪５３Ｃが設けられたリール９Ｃとともに使用される。
以下の説明および図１２において、リール停止装置１１が使用されたリード収納装置１と略同一の構成を有するものについては、リード収納装置１におけるものと同一の符合を付し、その説明を省略することがある。
【００５０】
最初に、爪５３Ｃについて説明する。爪５３Ｃは、上に説明したリール９における爪５３と同様に、同一形状のものが周方向に等間隔に８つ並べられて爪部の一部を形成している。爪５３Ｃは、略鈍角三角形を基礎とする形状を有し、鈍角から外方に伸びる面である係合面５４および鈍角を形成しない辺に相当する面である湾曲側面５５Ｃを有する。爪５３Ｃは、湾曲側面５５Ｃに段を有し、その前後に対して不連続な面は、ゼンマイバネ１０の付勢力が働く方向（矢印Ｒ）を向く被掛止面７８Ｃとなっている。
【００５１】
リール停止装置１１Ｃは、ロックピン５６Ｃおよびねじりコイルバネ５７からなる。
ロックピン５６Ｃは、径大部５８、径小部５９、および径大部５８の径小部５９側端から直角に伸びる係合部６０Ｃからなる。ロックピン５６Ｃにおける径大部５８および径小部５９は、それぞれロックピン５６における径大部５８および径小部５９と同じ構成である。
【００５２】
係合部６０Ｃは、爪５３Ｃの厚さと同等またはやや小さな厚さを有する基部６１、および先端側において長手方向に一定の長さを有し基部６１の略２倍であって爪５３Ｃの厚さよりも大きな厚さを有する係止部６２Ｃからなる。係合部６０Ｃの先端面７３（係止部６２Ｃの先端側面でもある）は、湾曲する曲面となっている。係合部６０Ｃにおいて長手方向に伸びリール９Ｃ側に向く側面は、凹状に湾曲した曲面である係合部湾曲面６６Ｃとなっている。
【００５３】
係合部湾曲面６６Ｃは、途中に段が設けられ、段には先端面７３側を向く面である掛止面７９Ｃが形成されている。
掛止面７９Ｃは、先端面７３の先端からの距離が、隣り合う爪５３Ｃ，５３Ｃの一方の係合面５４と他方の被掛止面７８Ｃとの距離より若干小さくなる位置に形成される。
ねじりコイルバネ５７は、リール停止装置１１におけるものと同一である。
【００５４】
リール停止装置１１Ｃでは、リール９によるリード６の繰り出しおよび巻き取りの制限は、ねじりコイルバネ５７の付勢力により回動されたロックピン５６Ｃの係合部湾曲面６６Ｃにおける掛止面７９Ｃから先端面７３までの部分が、隣り合う爪５３Ｃ，５３Ｃの間に嵌り込むことにより行われる。リード６の繰り出しの制限方法は、リール停止装置１１と同じである。
【００５５】
リード６の巻き取りの制限は、より具体的には、掛止面７９Ｃが爪５３Ｃの被掛止面７８Ｃに当接してリール９の回転を止めることにより行われる。
上述の実施形態において、本体２、スライドスイッチ４、リール９，９Ｃおよびその他のリード収納装置１を構成する各部の形状を、種々のものとすることができる。
例えば、ロックピン５６，５６Ｃにおける係合部６０，６０Ｃの先端面７３は、湾曲する曲面でなく平面であってもよい。リール９，９Ｃに設けられた爪５３，５３Ｃの基本形状は鈍角三角形に限られない。爪の形状は、ロックピンの係合部の先端面が爪の係合面に当接するときに、爪の係合面への当接を解除する方向にロックピンを回動させる回転モーメントよりもねじりコイルバネ５７の付勢力による爪の係合面への当接を維持する回転モーメントが大きくなるようにロックピン５６，５６Ｃと当接するものであれば、２等辺三角形、矩形または台形等の任意の基本形状を選択することができる。
【００５６】
また、ねじりコイルバネ５７に換えて他の形式のバネまたは付勢力を蓄えることができる部材を使用してもよい。
その他、リード収納装置１、およびリード収納装置１の各構成または全体の構造、形状、寸法、個数、材質などは、本発明の趣旨に沿って適宜変更することができる。
【産業上の利用可能性】
【００５７】
本発明は、例えば犬の散歩の際に使用され犬との距離に応じてリードの引き出しおよび巻き取りが行われるペット用のリード収納装置に利用することができる。
【図面の簡単な説明】
【００５８】
【図１】図１は本発明に係るリード収納装置の正面図である。
【図２】図２はリード収納装置の平面図である。
【図３】図３はリード収納装置の本体の左側面図である。
【図４】図４は第１本体カバーの裏面図である。
【図５】図５はスライドスイッチの平面図である。
【図６】図６は板バネの斜視図である。
【図７】図７は第１本体カバーを取り外した本体の正面図である。
【図８】図８はリール停止装置の概略図である。
【図９】図９は本体の組立概要図である。
【図１０】図１０は他の実施形態によるロックピンを示す図である。
【図１１】図１１は他の実施形態による第１本体カバーの裏面図である。
【図１２】図１２は他の実施形態に係るリール停止装置の概略図である。
【符号の説明】
【００５９】
１  リード収納装置
２  本体
５  板バネ
６  リード
９，９Ｃ  リール
１０  付勢力を蓄える部材（ゼンマイバネ）
１８  ロック解除部材（ロック部）
２７  バネ押さえ部
２８  ピン押さえ部
２９  当接面
３２  第１の部分（第１部分）
３３  第２の部分（第２部分）
３４  第１の端（第１端）
３５  第２の端（第２端）
５３，５３Ｃ  爪
５４  係合面
５５  押圧面（湾曲側面）
５６，５６Ｃ  ロックピン
５７  付勢部材（ねじりコイルバネ）
５８  ピン軸（径大部）
５９  ピン軸（径小部）
６０，６０Ｃ  係合部
６４  一方の腕（腕部分）
６７  他方の腕（腕部分）
７３  係止面（係合部の先端面）
７６  ロック解除部材の往動側端面（ロック部のリール軸側の端面）
７８Ｃ  押圧面（被掛止面）
７９Ｃ  当接部（掛止面）
Ｐ  当接部